(57)【特許請求の範囲】
【請求項１】
非作動位置と少なくとも１つの張り広げ位置との間でガイド手段を介して互いに対して開脚するように移動可能な２つの収容部分を備えた、靴下類のための引上げユニットと、
収容部分を互いに対して所望の位置へ移動させる操作手段と、
を有する靴下類を装着させる装置において、
操作手段（１４、２３）は、駆動ユニット（２）の一部であって、前記駆動ユニットは引上げユニット（１）から分離された構成部分として形成されており、
引上げユニット（１）は、収容部分（３ａ、３ｂ）を少なくとも１つの張り広げ位置へ変位させるために、駆動ユニット（２）と一時的に取り外し可能に結合されていることを特徴とする靴下類を装着させる装置。
【請求項２】
非作動位置と少なくとも１つの張り広げ位置との間においてガイド手段を介して互いに対して開脚するように移動可能な２つの収容部分を備えた、靴下類のための引上げユニットを有し、前記引上げユニットには収容部分を互いに対して調節された位置に固定するためのロック手段が設けられている、靴下類を装着させる装置において、
引上げユニット（１）に脚部（８）が設けられており、前記脚部によって引上げユニット（１）は、装着させるべき足の踏み込みにとって人間工学的に好ましい斜め位置で土台上に載置可能であることを特徴とする靴下類を装着させる装置。
【請求項３】
請求項１に記載の靴下類を装着させる装置のための駆動ユニットにおいて、
駆動ユニット（２）は、引上げユニット（１）を一時的に保持し、かつ可動の収容部分（３ｂ、４ｂ）に対して固定の収容部分（３ａ、４ａ）を支持するための支持手段（１０、１１、１５、１７）を有していることを特徴とする駆動ユニット。
【請求項４】
ガイド手段は、手動で外すことのできるロック装置（７）を有しており、前記ロック装置は少なくとも１つの張り広げ位置において相補形状で作用することを特徴とする請求項１または２に記載の装置。
【請求項５】
ガイド手段は、ガイドプロフィール（５、６）を備えた線形ガイドとして、２つの収容部分（３ａ、４ａ；３ｂ、４ｂ）に形成されており、前記収容部分がテレスコープ状に互いに入り組むように摺動可能であることを特徴とする請求項４に記載の装置。
【請求項６】
各収容部分（３ａ、４ａ；３ｂ、４ｂ）は、ガイドプロフィール（５、６）を備えたガイドボディ（４ａ、４ｂ）と、靴下類を引き上げるために設けられているロート状部分（３ａ、３ｂ）とから構成されていることを特徴とする請求項５に記載の装置。
【請求項７】
駆動ユニット（２）は線形操作駆動装置（１４、２３、２２）を有しており、前記線形操作駆動装置は引上げユニット（１）の収容部分（３ａ、４ａ；３ｂ、４ｂ）と作用結合されていることを特徴とする請求項１または２に記載の装置または請求項３に記載の駆動ユニット。
【請求項８】
線形操作駆動装置として、スピンドルドライブ（１４、２３）が設けられており、前記スピンドルドライブは電動機（２２）によって駆動可能であることを特徴とする請求項７に記載の装置または駆動ユニット。
【請求項９】
線形操作駆動装置は、前側に支持ピストン（１４）を有しており、前記支持ピストンは引上げユニット（１）の対応する支持部分（８、２８）に支持されていることを特徴とする請求項７に記載の装置または駆動ユニット。
【請求項１０】
駆動ユニット（２）はハウジングを有しており、前記ハウジングにセンタリング−及び／又はガイドプロフィール部（１０、１１、１５、１７）が設けられており、
引上げユニット（１）のガイドボディ（４ａ、４ｂ）は、それに対応するように合わせられたプロフィール部（２４、２９、３０）を有していることを特徴とする請求項１から１０のいずれか１項に記載の装置又は駆動ユニット。
【発明の詳細な説明】
【０００１】
本発明は、靴下類の引上げユニットを備え、その引上げユニットは非作動位置と少なくとも１つの張り広げ位置との間でガイド手段を介して互いに対して開脚するように動く２つの収容部分を有している、靴下類を装着させる装置に関する。
【０００２】
靴下類を装着させるこの種の装置は、ＤＥ４２２８９１６Ｃ２から知られている。この種の装置は、それが開放された爪先を有するか閉鎖された爪先を有するかには関係なく、それぞれの利用者にとってそれをあてがうことが困難をもたらす、サポート靴下（Kompressionsstrumpfes)に対する装着補助として設けられている。装着補助は、２つのハーフシェル状の収容部分からなる引上げユニットによって形成されており、その収容部分の半円弧状の足端部の領域が、それら足端部の間に配置された調節装置によって長手方向に移動可能に、互いに対して調整可能である。調節は、操作ナットまたはバヨネット部材によって手動で行われる。
該当する靴下を装着させるためには、引上げユニットを土台上に置いて、該当するサポート靴下をハーフシェル状に対向する収容部分上に左回りにかぶせる。次に、収容部分を調節装置を用いてサポート靴下を張り広げながら、その利用者がその足を上方から、２つの収容部分の間のサポート靴下の足部分へ踏み入れることができるだけの距離広げる。このようにして足部分をあてがった後に、サポート靴下の残りの領域を収容部分から引き出して脛に沿って上方へ巻き上げ、あるいは引き上げる。
【０００３】
本発明の課題は、従来技術に比較して、靴下類のずっと簡略化された、より快適な装着を可能にする、冒頭で挙げた種類の装置を提供することである。
【０００４】
この課題は、収容部分を互いに対して所望の位置へ移動させるための操作手段を備えた、冒頭で挙げた種類の装置について、操作手段が駆動ユニットの一部であって、その駆動ユニットは引上げユニットから分離された構成部分として形成されており、引上げユニットは収容部分を少なくとも１つの張り広げ位置へ移動させるためにときどき取り外しできるように駆動ユニットと結合可能であることによって、解決される。駆動ユニットによって、かぶせた靴下類を有する引上げユニットを手動の力を使わずに迅速かつ容易に張り広げることが可能になる。引上げユニットと駆動ユニットとの間が分離可能であることによって、簡単な操作と引上げユニットの互いに場所に依存しない機能が可能になる。すなわち、特に駆動ユニットを、多数の引上げユニットの張り広げのために設けることもできる。
【０００５】
この課題は、収容部分を互いに対して調節された位置に固定するためのロック手段を有している、冒頭で挙げた種類の装置について、引上げユニットに脚部が設けられており、その脚部によって引上げユニットは装着させるべき足の踏み込みにとって人間工学的に好ましい斜め位置で土台上に載置可能であることによっても、解決される。それによって、該当する利用者にとって、サポート靴下又は他の靴下類の足部分への踏み込みが著しく容易にされ、それは特に動きが少なくなった人の場合に利点を提供する。
【０００６】
本発明の実施形態においては、ガイド手段は手動で外すことのできるロック装置を有しており、そのロック装置は少なくとも１つの張り広げ位置において相補形状で作用する。ロック装置としては、特に係止装置が設けられており、その係止装置の係止部材は収容部分の関連するガイド手段に対応している。
【０００７】
靴下類としては、特に足部分のある、足部分のない、爪先が閉鎖されている、あるいは開放されている、サポート靴下またはサポート靴下、あるいはまたタイツや他の形状の靴下が想定されている。
【０００８】
本発明の他の実施形態においては、ガイド手段はガイドプロフィールを有する線形ガイドとして、両収容部分に形成されており、その収容部分はテレスコープ状に互いに入り組むように摺動可能である。これは、収容部分の互いに対する長手移動可能性を保証する、特に簡単かつ確実な構成である。
【０００９】
本発明の他の実施形態においては、各収容部分はガイドプロフィールを有するガイドボディと、靴下類を引き上げるために設けられているロート状部分とから構成されている。従って各収容部分は、ロート状部分半体を形成し、その場合に両方のロート状部分半体は互いに同一に形成する必要はない。好ましくはロート状部分はスチールワイヤから屈曲されている。しかしロート状部分をハーフシェル状に形成することも可能である。好ましくは収容部分の下部領域に設けられているガイドボディは、好ましくはプラスチックから形成されており、かつガイドプロフィールを有している。ガイドボディがプラスチックから形成されて、ロート状部分がワイヤ構造として形成されている場合には、ガイドボディは、ロート状部分を確実に保持して固定するための収容プロフィールを有している。
【００１０】
本発明の他の実施形態においては、駆動ユニットは線形操作駆動装置を有しており、その線形操作駆動装置には引上げユニットの収容部分が作用結合されている。この種の線形操作駆動装置は、特に電気的に、しかしまた圧縮空気または油圧によって構成することもできる。
【００１１】
本発明の他の実施形態においては、線形操作駆動装置は前側に支持ピストンを有しており、その支持ピストンは、引上げユニットの対応する支持部分に支持されている。好ましくは引上げユニットの支持部分は、引上げユニットの脚部の領域に設けられているので、脚部は二重機能を司ることができる。好ましくは２つの収容部分の一方は、駆動ユニットに固定的に保持され、他方は支持ピストンによって移動される。
【００１２】
本発明の他の利点と特徴は、請求項および本発明の好ましい実施例の以下の説明から明らかにされ、その実施例が図面を用いて示されている。
【００１３】
以下において装着補助と称する、靴下類、特にサポート靴下類を装着させるための装置は、引上げユニット１とボックス形状の駆動ユニット２を有している。引上げユニット１は、張り広げ位置へ移動させるために、以下で詳細に示すように駆動ユニット２上にとり付けることができる。
引上げユニット１は、上方へ張り出す２つのロート状部分３ａ、３ｂによって形成されており、それらロート状部分はそれぞれ半ロート形状に構成されており、互いに補完し合ってロート状の形状を形成するように対応している。２つのロート状部分３ａ、３ｂは、それぞれ安定したスチールワイヤ構造によって形成されており、その場合に各ロート状部分３ａ、３ｂの上部領域は半円弧形状の湾曲を有し、それが斜め下方及び外側へ延びるステイに移行している。各ロート状部分３ａ、３ｂの半円弧状の導入領域の支持は、Ｕ字状に屈曲された、下方へ続くダブルステイによって行われる。各ロート状部分３ａ、３ｂの下部領域は、それぞれプラスチックからなるガイドボディ４ａ、４ｂと相補形状で結合されている。
【００１４】
各ガイドボディ４ａ、４ｂの両方の外側には、一体化されたガイドプロフィール５、６が設けられている。対向するガイドボディ４ａ、４ｂは、テレスコープ状に互いに挿し込み可能な、互いに相互に関連し合うガイドプロフィール５、６を有している。それによって引上げユニット１の２つの収容部分３ａ、３ｂの長手方向における摺動可能性が形成される。図１から４及び図８から１２に示すように、引上げユニット１の一方の側には、支持脚８の形状の基部配置が設けられており、その支持脚は一方の収容部分のガイドボディ４ｂと堅固に結合されており、かつガイドボディ４ｂに対して直角に下方へ突出している。従って引上げユニット１を平坦な土台上に設置した場合には、引上げユニット１は斜め位置になり、その斜め位置の角度は、上方から利用者が人間工学的に特に効果的に踏み込むことができるように設計されている。
【００１５】
ロート状部分３ａ、３ｂの、それぞれガイドボディ４ａ、４ｂのガイドプロフィールの領域における適当なステイ部分が、上方へ突出するウェブ収容部９によって相補形状で係止されている。さらに、半円形状のステイ部分は、ガイドボディ４ａ、４ｂのガイドプロフィールの下側を回って相補形状で案内されている。
【００１６】
以下でさらに詳しく説明するように、引上げユニット１の２つのガイドボディ４ａ、４ｂの下側は、一方の収容部分３ａ、４ａ又は３ｂ、４ｂがハウジングボックス上に固定的に保持されて、他方の収容部分３ｂ、４ｂ又は３ａ、４ａは駆動ユニット２によって適当に他方の収容部分に対して長手方向移動されるように、駆動ユニット２のハウジングボックス上に載置される。駆動ユニット２上で引上げユニット１の確実な位置決めを保証するために、まず、ガイドボディ４ａ、４ｂの下側の、外側に位置するガイドプロフィールの領域にガイドウェブ３０が設けられており、そのガイドウェブは引上げユニット１の長手方向に整合されている。さらに、各ガイドボディ４ａ、４ｂの下側の中央には、球形の湾曲部の形状のセンタリング装置２９が設けられている。各球状の湾曲部２９の、他方のガイドボディ４ａ、４ｂを向いた、内側の端面にはストッパ面が設けられており、そのストッパ面には駆動ユニット２の支持及びセンタリングプロフィールとして用いられる保持ピン１７を収容するための、円形の収容部２４が設けられている。
【００１７】
駆動ユニット２は、図５から７に示すように、ハウジング上乗せ部を有しており、そのハウジング上乗せ部は取り外し可能であって、かつハウジング内部とそれに伴って駆動機能素子へのアクセスを可能にする。ハウジング上乗せ部は、ボックス形状に形成されており、その上側（図５）の一方の側にはセンタリング手段として、すなわちセンタリングプロフィールとして湾入部１１が、そして他方の側にはセンタリング及び支持プロフィールとして用いられる、対応する湾入部１０が形成されており、その湾入部にはさらにドーム形状の湾曲された段部が、支持プロフィールの機能で設けられている。湾入部１０のドーム形状、従ってシェル形状に湾曲された段部は、支持リブ構造１６によってハウジング内側から支持されており、その支持リブ構造はハウジング床と安定的に結合されており、そのハウジング床は駆動機能素子も支持している。
【００１８】
支持リブ構造１６は、保持ピン１７を備えた端面を支持するために用いられ、それによって引上げユニット１がとり付けられることにより外部から比較的強い力が加わった場合に、損傷が防止される。支持リブ構造１６の端面には、すでに述べた保持ピン１７が設けられており、その保持ピンはセンタリング手段１０の段部から端面側に突出する。保持ピン１７は、それぞれのガイドボディ４ａ、４ｂの下側に設けられた端面側のストッパ面の、対応する収容部２４内へ嵌入する。それによって引上げユニット１のそれぞれのガイドボディのための軸方向ストッパが形成される。さらに、ハウジング上乗せ部の上側には、ガイドプロフィールとして長手方向に延びるガイド溝１５が形成されており、引上げユニット１のガイドボディ４ａ、４ｂの下側に設けられたガイドウェブ３０が、そのガイド溝へ挿入可能である。
【００１９】
引上げユニット１の支持脚８の、駆動ユニット２へ向いた内側には、支持部分としての機能において、中央に配置されたセンタリング収容部２８が設けられており、そのセンタリング収容部内へ、駆動ユニット２の操作ピストンの対応して成形された前端部１４が嵌入する。操作ピストンは、その機能からスピンドルドライブの操作ナットを形成しており、そのスピンドルドライブは回転移動可能に軸承されたねじスピンドル２３上に取り付けられている（図７）。このスピンドルドライブは、装着装置の線形操作駆動装置の一部である。ねじスピンドル２３は、詳しく図示されていない伝導機構ユニットによって電動機２２を介して駆動され、その電動機も同様に駆動ユニット２のハウジング内に内蔵されている。操作ピストンのねじれを防止するために、操作ピストンには側方のガイドウェブ２０が設けられており、そのガイドウェブに対してハウジング側には対応する支持ガイド２１が設けられている。側方のガイドウェブ２０の定められた位置に切欠きが形成されており、その切欠きは、線形操作駆動装置を操作する終端スイッチ１８の操作に用いられる。
【００２０】
終端スイッチ１８、まず引上げユニット１の非作動位置のために、そしてさらに引上げユニット１の異なる２つの張り広げ位置のために設けられている。さらに、線形操作駆動装置の電動機２２を切り換えるための終端スイッチ１８は、その前端部１４を含めて操作ピストンがそれぞれの張り広げ位置に達した後、そして引上げユニット１のロック装置７が後述するように係止された後に、再び非作動位置の方向へ所定距離戻るように移動されて、それによって引上げユニット１が解放されて上方へ持ち上がるように構成されている。電動機２２を制御するために、電子的な制御ユニット１９が設けられており、その制御ユニットは基板上に配置された種々の電子素子を有している。電源部分のためのオンオフスイッチ１３（図５）の他に、さらに２つのスイッチ１２が設けられており、そのうちの一方のスイッチは張り広げ位置を設定し、他方は電動機のスイッチを入れる。
【００２１】
引上げユニット１は２つのロック装置７を有しており、それらロック装置は各側においてそれぞれガイドプロフィール装置５、６に対応している。その場合に内側のパイプ形状のガイドプロフィール６は、それぞれ一方のガイドボディ４ａ、４ｂにおいて付属のプラスチック構成部品によって堅固に包囲されており、その包囲は他方のガイド部分４ａ、４ｂのロック装置７の領域においては、外側のガイドプロフィール５を形成しながら、滑り移動可能な材料からなる１つまたは複数の軸受ブッシュＡによって、内側のガイドプロフィール６の滑り移動可能な摺動を可能にしている。ロック装置７は、各内側のガイドプロフィール（６）のそれぞれ前端部２６（図１０と１１）の高さにおいて２つの張り広げ位置に位置決めされるように、位置決めされている。ロック装置７は、図示の実施例においては、２つの係止ピン２５を有しており、それら係止ピンは内側へ向かって弾性的に付勢されている。係止ピン２５は、ハウジング部分内においてガイドプロフィール６の長手軸に対して半径方向に、それぞれのガイドボディ４ａ、４ｂの外側のガイドプロフィール５に保持ボルト２７によって固定されている。係止ピン２５を緩めるために、詳しく図示されていない操作スライダが設けられており、その操作スライダが係止の手動解除を可能にする。
【００２２】
該当するサポート靴下を装着する（はく）ためには、まずサポート靴下を、図８に示すように駆動ユニットから分離されている、あるいはまたは図１に示すように駆動ユニット２上にとり付けた位置において、その非作動位置にある引上げユニット１上に左回りにかぶせて、足部分と特に足の爪先が各ロート状部分の上方の半円弧形状の領域内に位置決めされるまで、たくし上げる。今度は、引上げユニット１を、それがすでに駆動ユニット上で位置決めされていない場合には、駆動ユニット２のハウジング上乗せ部上へ、センタリング、ガイド及び支持手段１０、１１、１５；３０、２４、２９、１７が互いに入り組んで、操作ピストンの前端部１４が支持脚８のセンタリング収容部２８の高さに位置決めされるように、とり付ける。
【００２３】
そして線形操作駆動装置が駆動され、それによって操作ピストンの前端部１４が支持脚８とそれに伴って付属のガイドボディ４ｂを、かぶせられたサポート靴下の弾性的な締付けに抗してサポート靴下を広げて開きながら、それぞれ所望の操作位置に応じて第１または第２の張り広げ位置まで移動させる。それぞれ張り広げ位置に達した場合には、ロック装置７のそれぞれのばねピン２５が、固定的に保持されている収容部分３ａ、４ａのガイドプロフィール６の前端部２６の後方に係止される。これは、好ましくは両側で行われるので、２つのロック装置７はガイドプロフィール６の前端部２６の後方においてそれに応じた係止位置をとる。
【００２４】
サポート靴下を弾性的に張り広げることにより、引上げユニット１は確実にこの位置に保持される。今度は引上げユニット１を好ましくは駆動ユニット２から取り外して、平坦な土台上に下ろし、それによって引上げユニットは図９と１０に示すその斜め位置をとる。該当する利用者は、その足をロート状部分３ａ、３ｂの半円弧状領域の間の拡大された開口部内とそれに伴ってサポート靴下の爪先へ入れて、その足を下方へ押圧することができ、それによって必然的に、たくし上げられていたサポート靴下が下腿の一部にわたって足に添接する。次にサポート靴下の残りの部分を２つのロート状部分３ａ、３ｂから上方へ引き出すことによって、サポート靴下を完全に添接させることができる。
【図面の簡単な説明】
【図１】  引上げユニットと駆動ユニットとを含む本発明に基づく装着装置の実施例を、非作動位置において示す図である。
【図２】  図１に示す装着装置を、他の方向から見た斜視図である。
【図３】  図１と２に示す装着装置を、張り広げ位置において示す図である。
【図４】  図１から３に示す装着装置を図３の張り広げ位置において、異なる方向から示す斜視図である。
【図５】  図１から４に示す装着装置のボックス形状の駆動ユニットを示す斜視図である。
【図６】  図５に示す駆動ユニットを、１８０°回動させた斜視図であって、ハウジング上乗せ部を除いて示してある。
【図７】  図５と６に示す駆動ユニットを縦断面で示した図である。
【図８】  図１から４に示す装着装置の引上げユニットを、斜めにした機能位置で示す図である。
【図９】  図８に示す引上げユニットを、その張り広げ状態で示した図である。
【図１０】  図９に示す引上げユニットを、一部断面で示した図である。
【図１１】  図１０に示す引上げユニットの一部を拡大して示した図である。
【図１２】  図８から１０に示す引上げユニットの一部を下から示す斜視図である。
【図１】
0003641205.tif 000002
【図２】
0003641205.tif 000003
【図３】
0003641205.tif 000004
【図４】
0003641205.tif 000005
【図５】
0003641205.tif 000006
【図６】
0003641205.tif 000007
【図７】
0003641205.tif 000008
【図８】
0003641205.tif 000009
【図９】
0003641205.tif 000010
【図１０】
0003641205.tif 000011
【図１１】
0003641205.tif 000012
【図１２】
0003641205.tif 000013